(57)【要約】【課題】  本考案の課題は、逆傾斜した登坂区間において、ボールを磁石により傾斜と反対方向に移動させることによって、ボールの動きに意外性を持たせることができる玩具を提供することにある。【解決手段】  本考案の玩具１はボール10を所定の経路に沿って走行させて遊ぶ玩具であっって、磁性体10ａを内在させまたは磁性体10ａにより形成されたボール10と、傾斜を設けて設置され、且つ一部区間に逆方向の傾斜を有する登坂区間２Ｘを設けた前記ボールを回転させて案内するレール２と、前記登坂区間２Ｘにおいて、前記レール２の裏面に沿って移動する磁石５と、を有し、前記磁石５を移動させることにより上記課題を解決する。【選択図】図４
0003127974.tif 000002
【実用新案登録請求の範囲】
【請求項１】
ボールを所定の経路に沿って走行させて遊ぶ玩具であって、
磁性体を内在させ、または磁性体により形成されたボールと、
傾斜を設けて設置され、且つ一部区間に逆方向の傾斜を有する登坂区間を設けた、前記ボールを回転させて案内するレールと、
前記登坂区間において、前記レールの裏面に沿って移動する磁石と、
を有し、
前記磁石を移動させることにより、前記ボールが低い位置から高い位置に運ばれることを特徴とする玩具。
【請求項２】
請求項１記載の玩具であって、
前記玩具は、前記磁石を支持するアームと、該アームを回動させる駆動装置を有することを特徴とする玩具。
【請求項３】
請求項２記載の玩具であって、
前記登坂区間は平面上、円弧状に形成され、前記磁石は、前記アームの先端部に固定されていることを特徴とする玩具。
【請求項４】
請求項３記載の玩具であって、
前記磁石が前記レールの裏面に接触するように前記アームを付勢する付勢手段を有することを特徴とする玩具。
【請求項５】
請求項１記載の玩具であって、
前記ボールに内在する磁性体は、前記ボールの中心から偏心させて設けたことを特徴とする玩具。
【考案の詳細な説明】
【技術分野】
【０００１】
本考案は、ボールを傾斜したレールをガイドとして転がし、そのボールの動きを楽しむ玩具であって、特に、一部に傾斜を逆方向とした登坂区間を形成し、ボールが重力に逆らって上昇する意外性をもたせる玩具に関する。
【背景技術】
【０００２】
従来から、ボールをレールに沿って転がして、その動きを楽しむ玩具は存在した。例えば、下記特許文献１のように、レールを組立て、このレールに沿ってボールを落下させる玩具やゲームが提供されていた。
【０００３】
【特許文献１】実公平６−２２３９０号
【０００４】
このような従来例の玩具においては、レールの中途部に坂を形成して、この部分にリフト装置を取り付け、走行体によってボールを下から上へ押し上げてボールを登坂させる構造を有する。しかしながら、ボールは常時走行体によって、移動させられるため、かかる玩具は動物の形状を与えられた走行体とボールの動きを楽しむものにすぎなかった。
【０００５】
このため、ボール自体の移動は、レールの状態と走行体の動きから当然に予想されるものであって、意外性に乏しいものであった。
【考案の開示】
【考案が解決しようとする課題】
【０００６】
そこで本考案の課題は、逆傾斜した登坂区間において、ボールを磁石により傾斜と反対方向に移動させることによって、ボールの動きに意外性を持たせることができる玩具を提供することにある。
【課題を解決するための手段】
【０００７】
本考案の玩具は、磁性体を内在させ、または磁性体により形成されたボールと、傾斜を設けて設置され、且つ一部区間に逆方向の傾斜を有する登坂区間を設けた、前記ボールを回転させて案内するレールと、前記登坂区間において、前記レールの裏面に沿って移動する磁石と、を有し、前記磁石を移動させることにより、前記ボールが低い位置から高い位置に運ばれる玩具とすることで上記課題を解決する。
【考案の効果】
【０００８】
ボールはレール上を回転しながら、レールに沿って落下するが、ボールが登坂区間に至ると、ボールはレールの裏面に配置された磁石により吸引され、該磁石をレールに沿って移動させる。
【０００９】
これにより、ボールを低い位置から高い位置へ転がることになり、重力により高い位置から低い位置に転がるボールの動きに変化を与えることができ、観察する者に意外性を感じさせることができる。
【考案を実施するための最良の形態】
【００１０】
（実施形態）
本考案の実施の形態を図面に従って詳述する。図１は本考案を具体化したボール落下玩具１の全体斜視図であり、図２はボールの断面図、図３乃至図５はレールの登坂区間の構造及び作用の説明図である。
【００１１】
図１に示すように、本実施形態のボール落下玩具１は、基台１Ａと、レールを支えるレール支持柱１Ｂと、内部にボール落下トンネル３を有する塔１Ｃとを有す。そして、レール支持柱１Ｂから塔１Ｃの周囲に向けて、徐々に低くなるように傾斜を付けて敷設される第一のレール２Ａが掛け渡され、且つ塔１Ｃの外周面には徐々に高くなる登坂区間２Ｘと頂点２Ｚを挟んで徐々に低くなる降坂区間２Ｙとからなる第ニのレール２Ｂが形成されている。
【００１２】
第一のレール２Ａの最も高い位置にはボール10の投入口Ｓが形成されており、第二のレール２Ｂの下方の終端部にはレール終端Ｇが形成される。ボール10は、投入口Ｓに投下されると、傾斜に従って塔１Ｃに向けて転がり、落下トンネル３、第二のレール２Ｂを通り、最終的にレール終端Ｇに至る。レール終端Ｇに至ったボール６は、その下で待つ玩具汽車10の荷台に落下する。玩具汽車20の軌道21の終端付近には遊び手が操作する操作盤21が配置されており、操作盤22のスイッチによって玩具汽車20を軌道21に沿って運転することにより、ボール６は操作盤22を操作する遊び手の手元まで輸送される。
【００１３】
図２に示すように、ボール10は一例として直径４ｃｍ前後の直径を有し、磁性体である中心の鉄球10ａと、この周りに成型されるプラスチック製の外殻10ｂとによって構成される。鉄球10ａの中心は、ボール10の中心に一致させるように位置決めしている。
【００１４】
図３(ａ)(ｂ)に示すように、塔１Ｃの内部には、所定角度で水平方向に回動するアーム４と、アーム４の湾曲した先端４ａに固定された磁石５と、アーム４の基部４ｂが係合する回動軸６と、この回動軸６下端の歯車６ａを回転させる駆動装置７とからなる、ボール10の引き上げ装置８を有する。磁石５が登坂区間２Ｘの下端部に待機するこの位置をホームポジションとする。なお、アーム４の基部４ｂには付勢手段たるスプリング９が取り付けられており、このスプリング９によりアーム４を上方に付勢している。このため、磁石５は常にレール２の裏面に接触した状態で移動することになる。
【００１５】
図３(ｂ)に示すように、第二のレール２Ｂは、落下トンネル３の出口から始まる前半の登坂区間２Ｘと、これと連続する降板区間２Ｙとを有し、両者の接続部には頂部２Ｚが形成される。登坂区間２Ｘは上方からみて円弧状となっており、この円弧は回動軸６を中心にアーム４により移動する磁石５の軌跡と一致する。
【００１６】
同図に示すように、ボール10がレール２の登坂区間Ｘの開始点に差し掛かると、レール２の裏側に待機している磁石５がボール10の鉄球10ａを吸引して、これを磁力により保持する。
【００１７】
次に、図４(ａ)(ｂ)に示すように、この状態で操作盤22のスイッチを押すことによって、駆動装置７に通電し、歯車６ａを動かすことにより回動軸６を所定角度、回動させる。回動軸６の中途部に連結しているアーム４がこれに伴って回動し、その先端の磁石５がボール10を吸引したまま、ボール10がレール２の登坂区間Ｘを上昇する。
【００１８】
そして、図５(ａ)(ｂ)に示すように、アーム４先端の磁石５が第二のレール２Ｂの頂点２Ｚを過ぎると、ボール10が登坂区間２Ｘから降坂区間２Ｙに移動する。ボール10がこの位置に至ると、駆動装置７が停止し、回転軸６の回動を停止させる。ボール10は、自重と移動してきた慣性により磁石５からはずれ、降坂区間２Ｙの傾斜に沿ってボール10は転がり落ちる。
【００１９】
なお、停止した駆動装置７は自動的にすぐに逆回転をはじめ、回動軸６を逆方向に回動させることでアーム４及び磁石５を図３(ａ)(ｂ)に示すホームポジションに戻し、次のボール10の引き上げに備える。
【００２０】
以上、操作者のボタン操作により、引き上げ装置８が図３から図５に示す動きを繰り返すことにより、レール２上を転がってくるボール10を次々と登坂させることができる。
【００２１】
（他の実施形態）
上述のように、本実施形態では第二のレール２Ｂの中途部に登坂区間２Ｘを設けたが、例えば、登坂区間２Ｘを第一のレール２Ａの初端に設けてもよく、その位置は問われない。
【００２２】
また、本実施形態では、登坂区間２Ｘと磁石５の移動軌跡とを一致させる構造としたが、例えば、アーム４に沿って長い線形の磁石を取り付ければ、登坂区間２Ｘは必ずしも円弧形状とする必要はない。磁石５の移動手段もアーム４と回動軸６とからなるボール10の引き上げ手段に限られない。
【００２３】
さらに、本実施形態では、磁性体である鉄球10ａの中心とボール10の中心を一致させたが、鉄球10ａを偏心して配置することもできる。かかる構造とすることで、ボール10全体で高い比重を占める鉄心10ａがボール10の回転を不規則なものとすることができ、ボール10の動きにより大きな意外性を与えることができる。
【００２４】
また、本実施形態では鉄球10ａとプラスチック製の外殻10ｂとによってボール10を形成したが、磁性体そのものでボール10全体を構成してもよい。
【産業上の利用可能性】
【００２５】
本考案の活用例として、幼児用のボール落下玩具などに応用可能である。
【図面の簡単な説明】
【００２６】
【図１】本考案の実施形態に関する、ボール落下玩具全体の斜視図である。
【図２】ボールの断面図である。
【図３】同実施形態に関する、レールの登坂区間の構造説明図である。
【図４】同実施形態に関する、レールの登坂区間の構造説明図である。
【図５】同実施形態に関する、レールの登坂区間の構造説明図である。
【符号の説明】
【００２７】
１・・・ボール落下玩具
２、２Ａ、２Ｂ・・・レール
２Ｘ・・・登坂区間
２Ｙ・・・降坂区間
２Ｚ・・・頂点
３・・・落下トンネル
４・・・アーム
５・・・磁石
６・・・回動軸
７・・・駆動装置
８・・・引き上げ装置
10・・・ボール
10ａ・・・鉄心（磁性体）
【図１】
0003127974.tif 000003
【図２】
0003127974.tif 000004
【図３】
0003127974.tif 000005
【図４】
0003127974.tif 000006
【図５】
0003127974.tif 000007